(57)【特許請求の範囲】
【請求項１】
咬合器の所定部位に人工歯排列器が取りつけられ、その人工歯排列器が人工歯用のシフト器具を有し、そのシフト器具は、傾斜角度が調整可能になっており、複数の人工歯を支持する支持部と、その支持部を固定する固定部を有する複数種類の人工歯モールドが、シフト器具の所定位置に選択的に取りつけられることを特徴とする義歯製作装置。
【請求項２】
咬合器の所定部位に人工歯排列器が取りつけられ、その人工歯排列器が人工歯用のシフト器具を有し、そのシフト器具は、上下レベルが調整可能になっており、複数の人工歯を支持する支持部と、その支持部を固定する固定部を有する複数種類の人工歯モールドが、シフト器具の所定位置に選択的に取りつけられることを特徴とする義歯製作装置。
【請求項３】
人工歯排列器が、咬合器のインサイザルテーブルに着脱可能に取りつけられることを特徴とする請求項１又は２に記載の義歯製作装置。
【請求項４】
人工歯排列器が、ボールジョイント式の組立体を有し、その組立体にシフト器具を取りつけることを特徴とする請求項１〜３のいずれか１項に記載の義歯製作装置。
【請求項５】
咬合器の所定部位に人工歯排列器が取りつけられ、その人工歯排列器が人工歯用のシフト器具を有し、そのシフト器具は、傾斜角度が調整可能になっており、複数の人工歯を支持する支持部と、その支持部を固定する固定部を有する人工歯モールドが、シフト器具の所定位置に磁力により着脱可能に取りつけられることを特徴とする義歯製作装置。
【請求項６】
咬合器の所定部位に人工歯排列器が取りつけられ、その人工歯排列器が人工歯用のシフト器具を有し、そのシフト器具は、上下レベルが調整可能になっており、複数の人工歯を支持する支持部と、その支持部を固定する固定部を有する人工歯モールドが、シフト器具の所定位置に磁力により着脱可能に取りつけられることを特徴とする義歯製作装置。
【請求項７】
人工歯排列器が、咬合器のインサイザルテーブルに着脱可能に取りつけられることを特徴とする請求項５又は６に記載の義歯製作装置。
【請求項８】
人工歯排列器が、ボールジョイント式の組立体を有し、その組立体にシフト器具を取りつけることを特徴とする請求項５〜７のいずれか１項に記載の義歯製作装置。
【請求項９】
義歯製作装置に取りつけて使用する人工歯排列器において、人工歯用シフト器具を設け、そのシフト器具は、傾斜角度が調整可能になっており、複数の人工歯を支持する支持部と、その支持部を固定する固定部を有する複数種類の人工歯モールドが、シフト器具の所定位置に選択的に取りつけられることを特徴とする人工歯排列器。
【請求項１０】
義歯製作装置に取りつけて使用する人工歯排列器において、人工歯用シフト器具を設け、そのシフト器具は、上下レベルが調整可能になっており、複数の人工歯を支持する支持部と、その支持部を固定する固定部を有する複数種類の人工歯モールドが、シフト器具の所定位置に選択的に取りつけられることを特徴とする人工歯排列器。
【請求項１１】
咬合器のインサイザルテーブルに着脱可能に取りつけられる構成になっていることを特徴とする請求項９または１０に記載の人工歯排列器。
【請求項１２】
ボールジョイント式の組立体を有し、その組立体にシフト器具を取りつける構成にしたことを特徴とする請求項９〜１１のいずれか１項に記載の人工歯排列器。
【請求項１３】
義歯製作装置に取りつけて使用する人工歯排列器において、人工歯用シフト器具を設け、そのシフト器具は、傾斜角度が調整可能になっており、複数の人工歯を支持する支持部と、その支持部を固定する固定部を有する人工歯モールドが、シフト器具の所定位置に磁力により着脱可能に取りつけられることを特徴とする人工歯排列器。
【請求項１４】
義歯製作装置に取りつけて使用する人工歯排列器において、人工歯用シフト器具を設け、そのシフト器具は、上下レベルが調整可能になっており、複数の人工歯を支持する支持部と、その支持部を固定する固定部を有する人工歯モールドが、シフト器具の所定位置に磁力により着脱可能に取りつけられることを特徴とする人工歯排列器。
【請求項１５】
咬合器のインサイザルテーブルに着脱可能に取りつけられる構成になっていることを特徴とする請求項１３または１４に記載の人工歯排列器。
【請求項１６】
ボールジョイント式の組立体を有し、その組立体にシフト器具を取りつける構成にしたことを特徴とする請求項１３〜１５のいずれか１項に記載の人工歯排列器。
【発明の詳細な説明】
【０００１】
【発明の属する技術分野】
この発明は、義歯製作装置、たとえば各種の義歯を製作する工程において人工歯を排列する際に使用する義歯製作装置に関する。
【０００２】
【従来の技術】
従来の人工歯排列は、既製人工歯を使用し、1歯づつ手作業で排列するのが一 般的であった。
【０００３】
特開昭５９−４０８４８号、特開平５−３１７３３６号、特開平５−３１７３３７号、特開平６−２２９８６号及び特許第２５３９７３８号の各公報には、専用の咬合器あるいは咬合器機能を有する排列器が示されている。
【０００４】
特開平７−１６２４２号公報には、咬合採得後、咬合器に置いて蝋堤に人工歯を排列する方法において、第１、２小臼歯、第１、２大臼歯、第１、２大臼歯のうち、少なくとも隣接する２つの臼歯に跨る一体の、噛み合わせ面を有する予め成形した第１成形材を、下顎基礎床に設けた下蝋堤に直接又は中間堤を介して固定し、この第１成形材の噛み合わせ面に相当する噛み合わせ面を有する予め成形した第２成形材を載置し、その後咬合器に設けた上顎基礎床との間に上蝋堤を溶融させ硬化を待ち、第２成形材を上蝋堤に固定する人工歯排列方法が示されている。この人工歯排列方法では、前歯部の排列は行われていない。
【０００５】
【発明が解決しようとする課題】
従来の咬合器（たとえば特開昭５９−４０８４８号を除いた前述の咬合器）においては、インサイザルピン（センターピンとも呼ばれている）が人工歯排列時に正中前面にとりつけられているため、作業者が人工歯排列時に前歯部を直視できない。さらに、インスツルメントの動きがインサイザルピンのために制約される。そのため、前歯部の人工歯排列時にインサイザルピンが邪魔になり、作業が不便である。
【０００６】
本発明の目的は、熟練者でなくとも、患者の歯の形と大小に応じ、一般的な排列理論に沿った排列が効率よく行える人工歯排列器及びそれを備えた義歯製作装置を提供することである。
【０００７】
【問題を解決するための手段】
本発明の解決手段を例示すると、請求項１〜１６に記載の人工歯排列器及び義歯製作装置である。
【０００８】
（１）咬合器の所定部位に人工歯排列器が取りつけられ、その人工歯排列器が人工歯用のシフト器具を有し、そのシフト器具は、傾斜角度が調整可能になっていることを特徴とする義歯製作装置。
【０００９】
（２）咬合器の所定部位に人工歯排列器が取りつけられ、その人工歯排列器が人工歯用のシフト器具を有し、そのシフト器具は、上下レベルが調整可能になっていることを特徴とする義歯製作装置。
【００１０】
（３）人工歯排列器が、咬合器のインサイザルテーブルに着脱可能に取りつけられることを特徴とする前述の義歯製作装置。
【００１１】
（４）人工歯排列器が、ボールジョイント式の組立体を有し、その組立体にシフト器具を取りつけることを特徴とする前述の義歯製作装置。
【００１２】
（５）複数種類の人工歯モールドがシフト器具の所定位置に選択的に取りつけられるようにしたことを特徴とする前述の義歯製作装置。
【００１３】
（６）人工歯モールドをシフト器具の所定位置に磁力により着脱可能に取りつけることを特徴とする前述の義歯製作装置。
【００１４】
（７）義歯製作装置に取りつけて使用する人工歯排列器において、人工歯用シフト器具を設け、そのシフト器具は、傾斜角度が調整可能になっていることを特徴とする人工歯排列器。
【００１５】
（８）義歯製作装置に取りつけて使用する人工歯排列器において、人工歯用シフト器具を設け、そのシフト器具は、上下レベルが調整可能になっていることを特徴とする人工歯排列器。
【００１６】
（９）咬合器のインサイザルテーブルに着脱可能に取りつけられる構成になっていることを特徴とする前述の人工歯排列器。
【００１７】
（１０）ボールジョイント式の組立体を有し、その組立体にシフト器具を取りつける構成にしたことを特徴とする前述の人工歯排列器。
【００１８】
（１１）複数種類の人工歯モールドをシフト器具の所定位置に選択的に取りつけられるようにしたことを特徴とする前述の義歯製作装置。
【００１９】
（１２）人工歯モールドをシフト器具の所定位置に磁力により着脱可能に取りつけることを特徴とする前述の義歯製作装置。
【００２０】
【発明の実施の形態】
本発明による義歯製作装置は、既製の咬合器の一部、例えばインサイザルピン（センターピン）を取りつけるためのインサイザルテーブル部のピン用穴などに人工歯排列器を取り付けて、その人工歯排列器を使用して既製の人工歯を排列できる。
【００２１】
人工歯排列器は、ボールジョイント式の組立体、たとえばフリークランプおよびサイドピンから成るユニバーサルジョイント式の組立体によってシフト器具  （たとえばシフト板）を支持する形にするのが好ましい。位置設定自由のフリークランプの先端にシフト器具（たとえばシフト板）を設置し、そのシフト板に人工歯モールドを取り付ける。好ましくは、フリークランプの先端に伸縮自由にシフト板を取り付け、シフト板に人工歯モールドを固定して、人工歯モールドに人工歯を配置する。
【００２２】
必要に応じて、取り外したインサイザルピンの代わりに、咬合高径を確保するためにサイドピンを使用することも可能である。
【００２３】
人工歯モールドは、各種の既製の人工歯が使用できる。前歯については、上下とも６前歯を一括して配置できる。臼歯については、上下両側共に４臼歯を一括して配置できる。
【００２４】
本発明の別の種々の実施形態を説明する。
【００２５】
人工歯排列器には、既製の咬合器に取り付けるための部材、たとえばフリークランプやサイドピンを設置し、フリークランプの先端にシフト板を保持するための保持部材（たとえばホルダー）を設置する。この保持部材は、シフト板を前後方向に移動できる機構にする。
【００２６】
シフト板を支持する手段の一部にサイドピンを使用する場合は、咬合器の上弓下部にあてがう部材を設け、それによって咬合高径を確保するのが好ましい。
【００２７】
また、人工歯排列器の左右を逆に取り付けることによって、サウスポーにも対応できる。フリークランプおよび咬合高径保持用ストッパーを１８０°回転させれば良い。
【００２８】
シフト板は、人工歯を排列する位置の設定を行うためのもので、好ましくは、表裏の両面に正中線および前歯部位置基準線が付されている。
【００２９】
シフト板に設置する人工歯モールドの固定部分に磁石を付けるのが好ましい。
【００３０】
咬合器に装着した作業用石膏模型上の咬合床と人工歯モールドに装着された人工歯の基底面とに、溶解したワックスを流すことによって人工歯を固着させることができる。その際、症例によって湾曲を微調整することが可能である。
【００３１】
人工歯モールドは、各種の材料、たとえばラバー（シリコンゴムその他）、金属、合成樹脂（プラスチックなど）で作ることができる。最適の形態は、前歯においては舌側面の形態に凹所を形成して、その凹所に人工歯を装填する。臼歯においては帯状に人工歯の最大豊隆部を取り囲む形状で、その部分に人工歯を挿入する。また、固定（位置決め）のため、人工歯モールドの固定部分には磁石を付している。
【００３２】
本発明によれば、専用の咬合器を必須としない。既存の咬合器を使用することができる。たとえば、インサイザルテーブルを有する咬合器でテーブルが可動式のものは、テーブル取り付け部に人工排列器を取り付けることができる。固定式のものは、テーブルを囲む形態の部品を装着して、そこに人工排列器を取り付けることができる。
【００３３】
歯科医師の義歯製作方法（咬合理論）によって咬合器への模型装着基準が相違するが、本発明においては、その模型装着基準にあった咬合器を使用することができる。
【００３４】
本発明装置は、フレキシブルクランプに付けたシフト板によってカンペル平面であれ、フランクフルト平面であれ、その基準にあった咬合平面の角度調整が可能である。
【００３５】
咬合床つきの作業模型を咬合器に装着する場合、正中や咬合平面がずれる場合があるが、フレキシブルクランプに付けたシフト板によって咬合床にある正中や咬合平面に合致させることができる。
【００３６】
患者の顎堤は、人工歯の排列に具合の良い顎骨の吸収状態ばかりではない。詰まり、人工歯が入りにくい状態のもの（吸収度合いが少なかったり、歯槽頂が高かったりする）が意外と多い。その場合、本発明装置は人工歯を人工歯モールドに挿入した状態で仮に置いてみること（試適）ができるため、基底面の削除調整を簡単に行うことができる。
【００３７】
本発明によれば、熟練者でなくとも、個々の患者の歯の形と大小に応じて、一般的な咬合理論、排列理論に合わせた排列を行うことができる。
【００３８】
しかも、このような人工歯排列によって、作業時間を大幅に短縮することができる。
【００３９】
【実施例】
以下、図面を参照して、本発明の実施例を説明する。
【００４０】
まず、図１〜２を参照して、模型装着基準を説明する。図１のＣはカンペル平面（鼻聴導線）を示す。図２のＦはフランクフルト平面（眼耳平面）を示す。これらのＣとＦとの差は約１０°である。
【００４１】
Ｃは、咬合平面にほぼ平行であるため、平均値咬合器に多く採用されている。咬合床の咬合平面を咬合器の上弓と下弓の中間位置に設定すれば良い。このようにすれば、顔面を見るとき、より自然な状態になると言われている。
【００４２】
Ｆは、咬合器専用の器具（フェイスボウ）を使用する。患者固有のＦが設定できる。しかし、咬合平面が１０°の斜面となるため、人工歯の排列、特に前歯の排列（手による排列）が困難である。
【００４３】
上顎中切歯の歯軸が咬合平面となす角度は、８０〜８５°程度と言われてい  る。Ｃの場合は自然な角度に排列すれば良いが、Ｆの場合は自然感が出し難い。それは、上弓下弓の平行線となす中切歯の角度が９０〜１０５°となるからである。
【００４４】
本発明による義歯製作装置は、図１に示す水平の咬合平面と、図２に示す傾斜した咬合平面の両方に容易に対応できるものである。
【００４５】
まず、図１の場合、咬合器１の所定部位に人工歯排列器２を取りつける。その人工歯排列器２は、人工歯用のシフト器具３を有する。そのシフト器具３の上下レベルを調整する。
【００４６】
図２の場合も、咬合器１の所定部位に人工歯排列器２を取りつける。その人工歯排列器２が人工歯用のシフト器具３を有する。そのシフト器具３の傾斜角度を調整する。
【００４７】
要するに、人工歯排列器２のシフト器具３は、上下レベルと傾斜角度の両方を調整できるのである。
【００４８】
図３〜１８を参照して、人工歯排列器２とその関連部材について説明する。
【００４９】
人工歯排列器２が、咬合器１のインサイザルテーブル４のインサイザルピン用の穴に着脱可能に取りつけられる。
【００５０】
人工歯排列器２は、好ましくは、ボールジョイント式の組立体５を有し、その組立体５にシフト器具３を取りつける。それにより、シフト器具３の上下レベル（高さレベル）の調整と傾斜角度の調整を容易に行えるようにする。
【００５１】
複数種類の人工歯モールド７がシフト器具３の所定位置に選択的に取りつけられる。とくに、人工歯モールドをシフト器具の所定位置に磁力により着脱可能に固定するのが好ましい。
【００５２】
図３〜５において、咬合器１は、咬合器１の側部に垂直に設置されたサイドピン１１と、その上方部にネジ止めする咬合高径保持用バー１２及びストッパー１２ａと、インサイザルピン固定部１３と、そこから水平に延びている咬合器上弓１４と、そこに取りつけた作業用石膏模型（上顎）１５及び上顎咬合床１６と、咬合器１の下方に位置するインサイザルテーブル４の受け部から水平に延びている咬合器下弓１７と、そこに取りつけた作業用石膏模型１８及び下顎咬合床１９を有する。２０は咬合平面を示す。
【００５３】
図示例においては、人工歯排列器２のシフト器具２は、たとえば図５に示すように平坦な板の形になっている。シフト板３は、全体が１ｍｍ程度の厚みを有する板状になっていて、円形部３Ａと直線部３Ｂから成っている。３Ｃはシフト板３の中心に延在する正中線である。３Ｄは円形部３Ａと直線部３Ｂとの境界に位置する唇側位置基準線である。
【００５４】
ボールジョイント式の組立体５は、シフト板３を保持して、その上下レベルと傾斜角度を調整するための手段であり、一端がサイドピン１１に装着されたテーブル２１と、そのテーブル２１の他端に連結された第１フリークランプ部２２  と、シフト板３の直線部３Ｂを保持するホルダー２５と、そのホルダー２５に連結した、第１フリークランプ部２２及び第２フリークランプ部２３間に設けられた固定レバー部２４とを有する。固定レバー部２４のハンドル２７を回転させることにより固定レバー部２４、第１フリークランプ部２２及び第２フリークランプ部２３を所定の位置に固定する。しかるのち、ホルダー２５のガイド溝に沿ってシフト板３の直線部３Ｂをスライド移動させて、シフト板３を所望の位置にセットする。ネジ２８を回すことにより、図３に示すように、所望の位置にシフト板３を固定し、かつ、図４に示すように、シフト板３の円形部３Ａの正中線３Ｃを咬合平面２０の正中支持線２９に正確に合致させて、そこでシフト板３を静止させる。
【００５５】
図６は、上顎咬合床１６の下面とシフト板３の上面が咬合平面２０に合致し、かつ上顎咬合床１６の前方端がシフト板３の唇側位置基準線３Ｄに合致している状態を示す。
【００５６】
図７の（Ａ）及び（Ｂ）は、上顎前歯部用の２種類の人歯モールド７の例を示している。人工歯モールド７は、複数の人工歯７１を支持する支持部７２と、その支持部７２を固定する固定部７３を有する。
【００５７】
図７の（Ｃ）は、図７（Ｂ）の中心を通る断面を示す。固定部７３の底には強力な磁石が外から見えるように埋め込まれている。それにより、人工歯モールド７をシフト板３の任意の位置に磁力で固定できるようになっている。
【００５８】
図８においては、人工歯モールド７が磁力によりシフト板３に固定された状態で、人工歯７１と上顎のワックス基礎床８２との間にパラフィンワックス８１が装着されている。
【００５９】
図９は、複数の人工歯７１がパラフィンワックス８１によりワックス基礎床８２に装着された状態を示す。
【００６０】
図１０は、上顎前歯用の人工歯７１と、下顎の前歯９１と、咬合平面２０との関係を示す。９２は、下顎排列位を示す。９３はオーバーバイトを示す。９４はオーバージェットを示す。オーバーバイト９３とオーバージェット９４は、いずれも２ｍｍである。
【００６１】
図１１は、下顎前歯用の実施例を示す。上顎前歯用と比較すれば、シフト板３と、それに固定する人工歯モールド７を１８０度裏返しして、シフト板３の下面に人工歯モールド７を磁力で固定すればよい。
【００６２】
図１２は、下顎臼歯用の左側人工歯モールド９６、９７を例示している。この場合、磁石は、固定部９８の上面に位置する。
【００６３】
図１３は、本発明により形成された一連の人工歯の排列の一例を示す。
【００６４】
図１４は、前述の人工歯排列器２を詳しく示している。サイドピン１１の下端に取りつけるスタンド４１は、それよりもサイズの大きい（とくに長い）別の丸棒形状のスタンド４２に交換可能である。
【００６５】
テーブル２１には各種の穴をあけることができる。たとえば、マルチ用の穴、ホビー用の穴、ハンディ用の穴等をあける。４３は、ハンディ用の穴にとりつけた固定用バーである。
【００６６】
図１５は、図１４に示した人工歯排列器２の平面図である。
【００６７】
図１６は、シフト板３の直線部３Ｂをホルダー２５のガイド溝に沿ってスライド移動させて所望の位置に固定する構造の好適な例を示している。ボール６１がバネの弾性力を受けて、シフト板３の直線部３Ｂの角部に押しつけられるようになっている。これにより、ホルダー２５のガイド溝に対するシフト板３のガタを防止している。
【００６８】
図１７は、図１４に示した人工歯排列器の上顎排列時の状態を示す。
【００６９】
図１８は、図１４に示した人工歯排列器の下顎排列時の状態を示す。
【００７０】
図１９は、本発明の別の実施例による人工歯排列器の取りつけ方を示してい  る。
【００７１】
図１９の例においては、既成の咬合器の一部１００を外側から包みこむような形でホルダー１０１を取りつけ、ホルダー１０１を既成の咬合器の一部１００にネジ１０２により固定している。
【００７２】
次は、図３〜１８に示した前述の義歯製作装置を使用した義歯製作（操作）の好適な手順を説明する。
【００７３】
咬合採得後の咬合床１６を作業用石膏模型１５と共に咬合器２に装着するまでは、通法によって行う。
【００７４】
咬合器２のインサイザルテーブル部分４のインサイザルピン固定部１３からインサイザルピン（センターピン）を取り外し、人工歯排列器２をそのインサイザルテーブル部分４のインサイザルピン固定部１３に取り付け、サイドピン１１に付属している咬合高径保持用バー１２を上弓１４の下部に対して位置決めし、ストッパー１２ａで固定する。
【００７５】
一般的な咬合理論に沿って既製の人工歯７１を排列する。排列は、▲１▼上顎前歯部、▲２▼下顎前歯部、▲３▼下顎臼歯部、▲４▼上顎臼歯部の順で行う。以下、これらの排列手順を説明する。
【００７６】
▲１▼上顎前歯部の排列
１）まず、任意の位置決めが可能なフリークランプ２２、２３の先端に設置しているホルダー２５のガイド溝にシフト板３の直線部３Ｂをいれる。その際、円形部３Ａを咬合床１６側にする。
【００７７】
２）下顎の咬合床１９を取り外し、ワックス基礎床８２に置き換えておく。
【００７８】
３）フリークランプ２２、２３の固定レバー部２４を、ハンドル２７を回すことにより緩め、上顎の咬合床８２の正中線とシフト板３の正中線３Ｃを一致さ  せ、なおかつ、咬合床８２の正中指示線と咬合平面２０との交点をシフト板３の唇側位置基準線３Ｄに一致させる。位置決定後、ハンドル２７を回すことにより固定レバー部２４を締める（図６）。
【００７９】
４）上顎の咬合床１６の前歯部を削除するか、あるいは外して、ワックス基礎床８２に置き換える。
【００８０】
５）選択した上顎前歯用の人工歯モールド７（図７のＡ）の凹所に人工歯７１の舌側面を合わせて挿入する（図７のＢ）。固定は、その凹所に設定したワックス溜まりに予め少量のユーティリティーワックスを置いておけば、より確実に行える。
【００８１】
既製の人工歯７１は、前臼歯と同様に、メーカーによって各種の形態やサイズがあるが、それらに対応する人工歯モールドがある。
【００８２】
６）シフト板３の上（上面が咬合平面２０に一致）に人工歯７１を挿入した人工歯モールド７を設置する。両側の中切歯唇側切端をシフト板３の唇側位置基準線３Ｄに合わせ、かつ、正中部を正中線３Ｃに合わせて設置する。そして、上顎のワックス基礎床８２と人工歯７１の基底面とをパラフィンワックス８１で固着する（図８）。これによって、上顎の６前歯が１ブロックで排列されたことになる。
【００８３】
７）ワックス硬化後に人工歯モールド７を取り外して、上顎前歯部の排列を終える（図９）。
【００８４】
▲２▼下顎前歯部の排列
１）下顎前歯用人工歯モールド７に上顎前歯と同じ手順で下顎前歯人工歯９を挿入して、固定する。
【００８５】
図１０は上顎前歯に対しての一般的な下顎前歯の切端の位置（オーバージェット９４、オーバーバイト９３共に２ｍｍの位置）を示すものであるが、術者の任意の位置に排列することが可能である。排列は、６下顎前歯を１ブロックとしてフリーハンドで行う。
【００８６】
２）排列位置を決定した後、上顎前歯と同様にして、下顎のワックス基礎床８２に固着する。
【００８７】
▲３▼下顎臼歯部の排列
１）図１１に示すように、フリークランプ２２、２３を操作し、シフト板３の底面を下顎中切歯の切端部と図１０のＡ点（臼後三角の１／２〜２／３の位置）とを結ぶ下顎排列位に（正中部で）一致させる。
【００８８】
２）図１２は、下顎臼歯用人工歯モールド９６、９７を示すものであるが、これに選択した既製人工歯を左側、右側とも挿入し、図１１に示すようにシフト板３の底面に設置する。設置位置は、上方（咬合両側）から観察し、歯槽頂線に合致させる。
【００８９】
３）シフト板３は、先端が円形になっており、かつ、臼歯用人工歯モールドの磁石部は左右が衝突しないように配置されている。そのため、狭窄歯列や、ワイドな歯列にも対応できる。
【００９０】
４）設置後、人工歯９１の基底面と下顎ワックス基礎床８２とを溶解したパラフィンワックス８１で固着する。パラフィンワックス８１の硬化後、人工歯モールド９６、９７とシフト板３を取り外す。
【００９１】
▲４▼上顎臼歯部の排列
１）上顎臼歯用人工歯モールド７に下顎臼歯と同じ手順で上顎臼歯人工歯を挿入して、固定する。下顎臼歯人工歯と咬合するように排列湾曲を調整する。そのようにすれば、既に排列されている下顎臼歯人工歯の上に乗せるだけで（排列  は、４上顎臼歯を１ブロックとしてフリーハンドで行う）良好な咬合状態とな  る。
【００９２】
２）その位置で上顎臼歯人工歯基底面と上顎ワックス基礎床８２とを溶解したパラフィンワックス８１で固着する。
【００９３】
３）以上で人工歯排列を終える。
【００９４】
４）人工歯排列器２を取り外し、咬合器１のインサイザルピン固定部１３にインサイザルピン７１を取り付ける（図１３）。
【００９５】
５）これ以降の歯肉形成、咬合調整(削合)、フラスコ埋没、レジン重合、研磨作業は通法のとおりに行い、義歯完成となる。
【００９６】
なお、本発明は、前述の形態および固定の方法などに限定されない。たとえ  ば、シフト板３は、円形部３Ａの代りに、Ｔ字形、馬蹄形などにすることもできる。
【図面の簡単な説明】
【図１】模型装着基準におけるカンペル平面（鼻聴導線）と咬合平面との関係を示す。
【図２】模型装着基準におけるフランクフルト平面（眼耳平面）と咬合平面との関係を示す。
【図３】本発明の好適な１つの実施例による義歯製作装置を示す。とくに所望の位置にシフト板を固定している状態を示す。
【図４】図３に示した義歯製作装置において、とくに、シフト板の円形部の正中線を咬合平面の正中支持線に正確に合致させている状態を示す。
【図５】図３に示した義歯製作装置において、とくに、人工歯排列器のシフト器具を示す。
【図６】図３に示した義歯製作装置において、とくに、上顎咬合床の下面とシフト板の上面が咬合平面に合致し、かつ上顎咬合床の前方端がシフト板の唇側位置基準線に合致している状態を示す。
【図７】（Ａ）（Ｂ）は、上顎前歯部用の２種類の人歯モールドの例を示す。（Ｃ）  は、（Ｂ）の中心を通る断面図である。
【図８】図３に示した義歯製作装置において、とくに、人工歯モールドが磁力によりシフト板に固定された状態を示す。
【図９】図３に示した義歯製作装置において、とくに、複数の人工歯がパラフィンワックスによりワックス基礎床に装着された状態を示す。
【図１０】図３に示した義歯製作装置において、とくに、上顎前歯用の人工歯と、下顎の前歯と、咬合平面との関係を示す。
【図１１】図３に示した義歯製作装置において、とくに、下顎前歯用の使用例を示す。
【図１２】図３に示した義歯製作装置において、とくに、下顎臼歯用の左側人工歯モールドの例を示す。
【図１３】本発明により形成された一連の人工歯の排列の一例を示す。
【図１４】図３に示した義歯製作装置において、とくに、人工歯排列器を詳しく示す。
【図１５】図１４に示した人工歯排列器の平面図である。
【図１６】図１４に示したシフト板の直線部をホルダーのガイド溝に固定する内部構造を示す。
【図１７】図１４に示した人工歯排列器の上顎排列時の状態を示す。
【図１８】図１４に示した人工歯排列器の下顎排列時の状態を示す。
【図１９】本発明の別の実施例による、咬合器への人工歯配列器の取りつけ方を示す。Ａは正面図、Ｂは側面から見た断面図である。
【符号の説明】
１  咬合器
２  人工歯排列器
３  シフト器具
３Ａ  円形部
３Ｂ  直線部
３Ｃ  正中線
３Ｄ  唇側位置基準線
４  インサイザルテーブル
５  組立体
７  人工歯モールド
１１  サイドピン
１３  インサイザルピン固定部
１４  咬合器上弓
１６  上顎咬合床
１７  咬合器下弓
１８  作業用石膏模型
１９  下顎咬合床
２０  咬合平面
２１  テーブル
２２  第１フリークランプ部
２４  固定レバー部
２５  ホルダー
２７  ハンドル
２８  ネジ
２９  正中支持線
６１  ボール
７１  人工歯
７２  支持部
７３  固定部
８１  パラフィンワックス
８２  ワックス基礎床
９１  前歯
９３  オーバーバイト
９４  オーバージェット
９６、９７  下顎臼歯用人工歯モールド
９８  固定部
１００  咬合器の一部
１０１  ホルダー
１０２  ネジ
１２９  ストッパー
【図１】
0003645189.tif 000002
【図２】
0003645189.tif 000003
【図３】
0003645189.tif 000004
【図４】
0003645189.tif 000005
【図５】
0003645189.tif 000006
【図６】
0003645189.tif 000007
【図７】
0003645189.tif 000008
【図８】
0003645189.tif 000009
【図９】
0003645189.tif 000010
【図１０】
0003645189.tif 000011
【図１１】
0003645189.tif 000012
【図１２】
0003645189.tif 000013
【図１３】
0003645189.tif 000014
【図１４】
0003645189.tif 000015
【図１５】
0003645189.tif 000016
【図１６】
0003645189.tif 000017
【図１７】
0003645189.tif 000018
【図１８】
0003645189.tif 000019
【図１９】
0003645189.tif 000020